(57)【特許請求の範囲】
【請求項１】
湯沸器の排気口からの排気ガスを外部へ排出する排気筒と、
該湯沸器の排気口から前記湯沸器の上面に向けて延びて前記排気筒と接続し、前記排気口からの排気ガスを前記排気筒に導く管状の排気収集部と、
前記排気収集部と前記湯沸器の上面との間に隙間を空けて、前記排気収集部を前記湯沸器の上面に対して支持するスペーサとを備えることを特徴とする排気装置。
【請求項２】
請求項１において、
前記排気収集部は、前記湯沸器を囲む取り付けバンドが前記スペーサに取り付けられることにより前記湯沸器に固定されることを特徴とする排気装置。
【請求項３】
請求項１において、
前記排気収集部は、一方が突起部及び他方が細長い凹部を備えた２つ部品を含み、該２つの部品のいずれか一方が前記排気口に接続され、他方が前記排気筒に接続され、さらに、該突起部と該凹部とが嵌合し、これらのいずれか一方が他方に沿って摺動することにより該排気収集部の長さが調節可能であることを特徴とする排気装置。
【発明の詳細な説明】
【０００１】
【発明の属する技術分野】
本発明は、外気に開放されている共用廊下形式の集合住宅などで、廊下側に面する給排気室に設置された湯沸器の排気装置に関する。
【０００２】
【従来の技術】
従来、共用廊下を有する集合住宅などで用いられている風呂用湯沸器の排気装置は、図９に例示するように、屋内の浴室Ａと壁Ｗを隔て、屋外の廊下Ｃ側に設けられたいわゆる給排気室Ｂに設置されている場合が多い（チャンバー設置用）。これは、給排気室Ｂを設けずに湯沸器１０及びそれに連結された排気筒１２を直接廊下に出すと、通行が邪魔になるとともに、燃焼による高温且つ有害な排気ガスが直接人に触れることになるので、これを防止するために実用化されたものである。そのため、共用廊下Ｃの壁Ｗを凹ませて、上部開口部Ｅを残して遮蔽板Ｄを設置することにより給排気室Ｂが設けられている。そして、その給排気室Ｂ内に湯沸器１０及び排気筒１２を設置し、排気口１１からの排気ガスを上部開口部Ｅに導いて排気が行われている。
【０００３】
【発明が解決しようとする課題】
このとき、排気筒１２と接続され、排気口１１からの排気ガスを排気筒１２に導くための排気収集部４が湯沸器１０に取り付けられる。この排気収集部４の例として、実開昭６１−７４７４２号公報で開示されているものが挙げられる。該公報に開示されている排気収集部４を図１０を用いて簡単に説明すると、排気収集部４は湯沸器１０の排気口１１及び上面部を覆うように取り付けられる。そして、排気筒１２と接続するための排気筒接続口４７を有する板状部５が排気収集部４の上面にねじにより取り付けられる。板状部５は、図に示すような複数の長孔５１を有し、排気筒１２の位置に応じて、排気収集部４へ取り付けられる位置が調節可能である。このような構成においては、排気収集部４が湯沸器１０にかぶさるように取り付けられているため、排気口１１から排出される排気ガスは、排気収集部４内において、湯沸器１０の上面部に直接触れながら排気筒１２へ流れる。そのため、排気ガスの熱により湯沸器１０の上面は高熱に熱せられ、湯沸器１０内の内部機器の高温耐久性を高める必要があった。又、屋内の浴室Ａと壁Ｗを隔てて直接屋外に面する場所に風呂給湯器を設置する場合（屋外用）は、このような高温対策は不要であった。
【０００４】
そこで、本発明の目的は、湯沸器本体が排気ガスの熱にさらされずに、排気ガスを排気筒に導き、外部に排出する排気装置を提供することである。
【０００５】
さらに、本発明の目的は、このような排気装置において、さらに取り付けが容易な排気装置を提供することを目的とする。
【０００６】
上記本発明の目的は、湯沸器の排気口からの排気ガスを外部へ排出する排気筒と、
該湯沸器の排気口から前記湯沸器の上面に向けて延びて前記排気筒と接続し、前記排気口からの排気ガスを前記排気筒に導く管状の排気収集部と、
前記排気収集部と前記湯沸器の上面との間に隙間を空けて、前記排気収集部を前記湯沸器の上面に対して支持するスペーサとを備えることを特徴とする排気装置を提供することにより達成される。
【０００７】
このように、湯沸器と排気収集部との間に間隔が設けられることにより、排気収集部内の排気ガスの熱が湯沸器の上面にほとんど伝わらない。
【０００８】
また、上記本発明の排気装置において、前記排気収集部は、前記湯沸器を囲む取り付けバンドが前記スペーサに取り付けられることにより前記湯沸器に固定されてもよい。これにより、湯沸器の上面にねじ穴を設ける必要がなくなる。
【０００９】
さらに、上記本発明の排気装置において、前記排気収集部は、一方が突起部及び他方が細長い凹部を備えた２つ部品を含み、該２つの部品のいずれか一方が前記排気口に接続され、他方が前記排気筒に接続され、さらに、該突起部と該凹部とが嵌合し、これらのいずれか一方が他方に沿って摺動することにより該排気収集部の長さが調節可能であってもよい。
【００１０】
これにより、排気収集部は、従来のようにねじによらないで、その長さが調節できるように構成されるので、排気筒及びそれと接続される排気収集部の排気筒接続口の位置合わせが容易となる。
【００１１】
【発明の実施の形態】
以下、本発明の実施の形態について図面に従って説明する。しかしながら、本発明の技術的範囲がこの実施の形態に限定されるものではない。なお、図９及び図１０と同一、又は類似のものには同一の参照数字または参照記号を付して説明する。
【００１２】
図１は、本発明の排気装置の実施の形態を示す断面図である。図１によれば、給排気室Ｂ内の湯沸器１０は、浴室Ａ内の浴槽１３に壁Ｗを貫通して取り付けられている。そして、湯沸器１０に、以下に述べる本発明の排気装置における排気収集部４が取り付けられ、この排気収集部４と接続された排気筒１２は、上部開口部Ｅへ延び、そこから排気ガスを外部へ排出している。
【００１３】
図２は、湯沸器１０及びそれに取り付けられた排気収集部４の斜視図である。図２によれば、排気収集部４は、排気ボックス４１と排気接続ボックス４２とからなり、さらに、排気接続ボックス４２は、第一のボックス４２ａ及び第二のボックス４２ｂから構成される。
【００１４】
図３は、排気ボックス４の湯沸器１０への取り付けを示す図である。図に示すように、排気ボックス４１は、２つの開口部を有し、その一方の開口部が図４に示した湯沸器１０の前面上部の排気口１１を覆うようにねじで取り付けられる。さらに、排気接続ボックス４２の第一のボックス４２ａに設けられた開口部を、図５に示すように、排気ボックス４１の他方の開口部と合わせて、排気接続ボックス４２を湯沸器１０の上面に設置する。具体的には、排気接続ボックス４２を、それの第一のボックス４２ａ側においては、その開口部を排気ボックス４１の開口部とねじ止めにより固定し、さらに、第二のボックス４２ｂ側は、後述する取り付けバンド固定部４５に設けられたスペーサー４６によって湯沸器１０の上面に支持される。
【００１５】
さらに、図５に示すように、排気接続ボックス４２の第二のボックス４２ｂの上面には、排気筒１２を接続するための排気筒接続口４７が設けられている。排気筒１２と排気接続ボックス４２は、図２に示すように接続されて、さらにねじで固定される。このようにして、湯沸器１０の排気口１１からの排気ガスは、排気収集部４における排気ボックス４１、排気接続ボックス４２の第一のボックス４１ａ及び第二のボックス４２ｂの内部を流れ、さらに、排気筒接続口４７から排気筒１２を通じて外部に排出される。
【００１６】
また、排気接続ボックス４２には、図６に示すように、それを湯沸器１０の上面部で支持するためのフランジ状の取り付けバンド固定部４５が設けられている。さらに、取り付けバンド固定部４５には、図に示すようなスペーサー４６が設けられ、排気接続ボックス４２と湯沸器１０の上面部は該スペーサー部４６によって支持される。これによって、排気収集部４内を通る排気ガスの熱によって湯沸器１０の上面部が熱せられるという従来の排気装置の欠点が解決される。これを、図７を用いてさらに詳細に説明する。図７（ａ）は、従来における湯沸器１０に取り付けられた排気収集部４の模式的な断面図であり、図７（ｂ）は、本発明における湯沸器１０に取り付けられた排気収集部４の模式的な断面図である。図７（ａ）によれば、従来の排気収集部４は、湯沸器１０を覆うように取り付けられるため、排気口１１から排出された排気ガスが排気収集部４内を流れるとき、湯沸器１０の上面（図７（ａ）における斜線部）が直接排気ガスに触れるため高温にさらされる。一方、図７（ｂ）によれば、本発明の排気収集部４は、湯沸器１０の上面と間隔ｄを隔てて設置され、その内部を流れる排気ガスは、湯沸器１０と接しないので、湯沸器１０の上面には、排気ガスの熱がほとんど伝わらない。従って、湯沸器１０の内部機器の高温によって発生するおそれのある故障を回避することができる。
【００１７】
図６に戻ると、取り付けバンド４８が、図に示すように湯沸器１０の周囲を囲み、取り付けバンド固定部４５にねじ止めされる。これにより、従来のように、排気収集部４を湯沸器１０の上面に直接ねじ止めすることなく、排気収集部４は湯沸器１０に固定することができる。従って、湯沸器１０の上面にねじ穴を設ける必要がなくなる。
【００１８】
ところで、排気接続ボックス４２は、例えば図５において、排気筒１２の位置に応じて上記排気筒接続口４７の位置を調節可能にするために、図中の矢印方向に伸縮自在になっている。これを図８を用いて詳細に説明する。図８（ａ）は、第一のボックス４２ａと第二のボックス４２ｂが伸びた状態で設置されている場合を示し、図８（ｂ）はそれらが縮んだ状態で設置されている場合を示している。さらに、図８（ｃ）は、図８（ａ）のＹ線に沿った断面図である。具体的には、排気接続ボックス４２の上記第一のボックス４２ａ及び第二のボックス４２ｂは入れ子式に組立られる。そして、それらのいずれか一方の側面には突起部４３、他方には該突起部４３に嵌合して摺動可能な細長い凹部突起部４４とが設けられている。図８によれば、第一のボックス４２ａに突起部４３が設けられ、第二のボックス４２ｂに細長い凹部４４が設けられている。そして、排気筒１２の位置に応じて、第二のボックス４２ｂを摺動させ、排気筒接続口４７が排気筒１２と合う位置に位置決めする。このように、排気接続ボックス４２の長さを調節することにより、排気筒接続口４７と排気筒１２との位置合わせを容易に行うことができ、それらを迅速に接続することが可能となる。
【００１９】
【発明の効果】
以上説明したとおり、本発明によれば、湯沸器の排気口から排出される排気ガスを排気筒に導くための排気収集部が、湯沸器の上面に所定の間隔を隔てて設置されるので、排気収集部内を流れる排気ガスの熱が湯沸器の上面にほとんど伝わらない。従って、湯沸器の排気を屋外に直接出せるタイプ（屋外用）と排気装置を付けるタイプ（チャンバー設置用）と別々に対策する必要がなく、誤って屋外用に排気装置を取り付けてしまい、湯沸器の内部機器が高温に熱せられ、それにより発生するおそれのある故障の原因及び耐久性の低下などを低減することができる。
【００２０】
また、排気収集部はその長さが調節できるように構成されているので、排気筒及びそれと接続される排気収集部の排気筒接続口の位置合わせが容易となる。従って、排気装置の取り付けがより容易となる。
【図面の簡単な説明】
【図１】本発明の排気装置の実施の形態を示す図である。
【図２】湯沸器に取り付けられた排気収集部の斜視図である。
【図３】排気ボックスの湯沸器への取り付けを示す図である。
【図４】湯沸器の排気口を説明するための図である。
【図５】排気接続ボックスの取り付けを示す図である。
【図６】取り付けバンド固定部を説明するための図である。
【図７】排気収集部と湯沸器の断面を模式的に示した図である。
【図８】排気接続ボックスの伸縮について説明するための図である。
【図９】従来の排気装置を説明するための断面図である。
【図１０】従来の排気装置の排気収集部を説明するための断面図である。
【符号の説明】
４    排気収集部
１０  湯沸器
１１  排気口
１２  排気筒
４１  排気ボックス
４２  排気接続ボックス
４３  突起部
４４  凹部
４５  取り付けバンド固定部
４６  スペーサー
４７  排気筒接続口
４８  取り付けバンド
【図１】
0003822695.tif 000002
【図２】
0003822695.tif 000003
【図３】
0003822695.tif 000004
【図４】
0003822695.tif 000005
【図５】
0003822695.tif 000006
【図６】
0003822695.tif 000007
【図７】
0003822695.tif 000008
【図８】
0003822695.tif 000009
【図９】
0003822695.tif 000010
【図１０】
0003822695.tif 000011